(57)【要約】【課題】スイッチ操作を行なわずに、簡単に他の画像情報を表示器に表示して視認することができる車両用表示装置を提供する。【解決手段】車両に関わる複数種の画像情報を表示する表示器５と、表示器５に少なくとも２種の画像情報を同時に表示するように制御する描画コントローラ４と、を備える。表示器５には、画素群Ａと画素群Ｂが左右水平方向に各々の画素を交互に配置して形成され、画素群の前面には、略画素の幅を有した多数の遮蔽部６ａをスリット７を介して左右水平方向に配置してなるバリア６が配設される。表示器５の画素群Ａと画素群Ｂには相違した２種の画像情報が表示され、観者が所定の位置で該表示器を見たとき、画素群Ａの画像情報を視認し、観者が所定の位置から観者の両目の間隔の半分の距離だけずれた位置で表示器５を見たとき、画素群Ｂの画像情報を視認するように構成される。【選択図】図１
2004217089.tif 000002
【特許請求の範囲】
【請求項１】
車両に関わる複数種の画像情報を表示する表示器と、該表示器に少なくとも２種の画像情報を同時に表示するように制御する表示制御手段と、を備え、該表示器には、第一の画素群と第二の画素群が左右水平方向に各々の画素を交互に配置して形成され、該画素群の前面には、略画素の幅を有した多数の遮蔽部をスリットを介して左右水平方向に配置してなるバリアが配設され、該表示制御手段によって該表示器の第一の画素群と第二の画素群には相違した２種の画像情報が表示され、観者が所定の位置で該表示器を見たとき、第一の画素群の画像を視認し、観者が所定の位置から観者の両目の間隔の半分の距離だけずれた位置で該表示器を見たとき、第二の画素群の画像を視認するように構成したことを特徴とする車両用表示装置。
【請求項２】
車両に関わる複数種の画像情報を表示する表示器と、該表示器に少なくとも２種の画像情報を同時に表示するように制御する表示制御手段と、を備え、該表示器には、第一の画素群と第二の画素群が左右水平方向に各々の画素を交互に配置して形成され、該画素群の前面には、略画素の幅を有したかまぼこ型レンズを左右水平方向に多数配置してなるレンチキュラーレンズが配設され、該表示制御手段によって該表示器の第一の画素群と第二の画素群には相違した２種の画像情報が表示され、観者が所定の位置で該表示器を見たとき、第一の画素群の画像を視認し、観者が所定の位置から観者の両目の間隔の半分の距離だけずれた位置で該表示器を見たとき、第二の画素群の画像を視認するように構成したことを特徴とする車両用表示装置。
【請求項３】
前記表示制御手段は、前記表示器に表示する画像情報について切替操作を行うスイッチ手段が操作されたとき、該スイッチ手段の動作に応じた同一の画像情報を該表示器の第一の画素群と第二の画素群に所定時間だけ表示することを特徴とする請求項１または２記載の車両用表示装置。
【請求項４】
車両に関わる複数種の画像情報を表示する表示器と、該表示器に複数種の画像情報を切り替えて表示するように制御する表示制御手段と、該表示器を見る観者の顔の向きを検出する顔向き検出装置と、を備え、該顔向き検出装置が観者の顔の向きの変化を検出したとき、該表示制御手段は予め設定された別の画像情報に切り替えて該表示器に表示することを特徴とする車両用表示装置。
【請求項５】
前記表示制御手段は、前記表示器に表示する画像情報について切替操作を行うスイッチ手段が操作されたとき、該スイッチ手段の動作に応じた画像情報を該表示器に切り替えて表示し、当該画像情報の表示を所定時間保持することを特徴とする請求項４記載の車両用表示装置。
【発明の詳細な説明】
【０００１】
【発明の属する技術分野】
本発明は、車両に搭載される車両用表示装置に関し、特に車両に搭載されたエアコン装置の空調モードや温度などを示すエアコン情報、オーディオ装置の音源などを示すオーディオ情報、或いはナビゲーション装置の地図情報などを１つの表示器に表示し、運転者がスイッチ操作による表示の切替操作をすることなく、複数種の画像情報を選択して視認することができる車両用表示装置に関する。
【０００２】
【従来の技術】
近年、自動車には、エアコン装置の空調モードや温度などを示すエアコン情報、オーディオ装置の音源などを示すオーディオ情報、或いはナビゲーション装置の地図情報など複数種の画像情報を表示する表示装置が搭載され、このような車両用表示装置は、例えば、下記特許文献１に記載されている。
【０００３】
【特許文献１】
特開２００１−３０６３３０公報
【０００４】
運転者は、この種の表示装置を使用する際、これらの複数種の情報を見たい場合には、スイッチ操作により切り替えて、例えば、地図情報を表示した状態で、オーディオ情報を見たい場合は、画像中に表示されたタッチスイッチ或いは別の切替スイッチを操作して、希望する画像を表示器に切替表示している。
【０００５】
【発明が解決しようとする課題】
しかし、運転者は希望する画像が表示されてない場合、表示器のタッチスイッチや操作スイッチに手を伸ばしてそれを操作し、自分の希望する画像に表示器を切り替えて表示するような操作をする必要があり、特に運転中には運転者にとってスイッチ操作が煩雑となる問題があった。
【０００６】
本発明は、上述の課題を解決するものであり、スイッチ操作を行なわずに、簡単に他の画像情報を表示器に表示して視認することができる車両用表示装置を提供することを目的とする。
【０００７】
【課題を解決するための手段】
上記目的を達成するために、本発明の車両用表示装置は、車両に関わる複数種の画像情報を表示する表示器と、表示器に少なくとも２種の画像情報を同時に表示するように制御する表示制御手段と、を備え、表示器には、第一の画素群と第二の画素群が左右水平方向に各々の画素を交互に配置して形成され、画素群の前面には、略画素の幅を有した多数の遮蔽部をスリットを介して左右水平方向に配置してなるバリアが配設され、表示制御手段によって表示器の第一の画素群と第二の画素群には相違した２種の画像情報が表示され、観者が所定の位置で表示器を見たとき、第一の画素群の画像を視認し、観者が所定の位置から観者の両目の間隔の半分の距離だけずれた位置で表示器を見たとき、第二の画素群の画像を視認するように構成したことを特徴とする。
【０００８】
ここで、上記表示制御手段は、上記表示器に表示する画像情報について切替操作を行うスイッチ手段が操作されたとき、スイッチ手段の動作に応じた同一の画像情報を表示器の第一の画素群と第二の画素群に所定時間だけ表示するように構成することができる。
【０００９】
【作用】
上記構成の車両用表示装置では、表示制御手段が２種の画像情報、例えばエアコン情報とオーディオ情報の画像を各々描画処理し、それらの画像信号を表示器に出力する。表示器では、その第一の画素群に例えばエアコン情報の画像が表示され、その第二の画素群には例えばオーディオ情報の画像が表示される。運転者は所定の位置でその表示器を見たとき、表示器の画素群の配置とバリアによって、運転者には、第一の画素群に表示された例えばエアコン情報の画像が視認される。一方、運転者がその所定位置から、両目の間隔の半分の距離だけずれた位置で、つまり顔をその距離だけずらして表示器を見たとき、表示器の画素群の配置とバリアによって、第二の画素群に表示された画像情報が視認される。
【００１０】
したがって、運転者は、表示器の表示画像を切り替えるためのスイッチ操作をすることなく、顔を所定の距離ずらすだけで、簡単に異なった画像情報を見ることができる。
【００１１】
また、表示器に表示する画像情報について切替操作を行うスイッチ手段が操作されたとき、スイッチ手段の動作に応じた同一の画像情報を表示器の第一の画素群と第二の画素群に所定時間だけ表示するように構成すれば、スイッチ操作が優先されてその操作に応じた表示のみが表示器に行なわれるから、運転者が車両の揺れなどにより揺れて２つの表示画像が交互に見えるような場合、それを防止することができる。
【００１２】
【発明の実施の形態】
以下、本発明の一実施形態を図面に基づいて説明する。図１は車両用表示装置の構成図を示している。この車両用表示装置は、車内のインストルメントパネルなどに配設された表示器５と、その表示器５に表示する画像の描画を行なう描画コントローラ４を有し、その表示器５に、エアコン装置１の空調モードや温度などを示すエアコン情報、オーディオ装置２の音源などを示すオーディオ情報、或いはナビゲーション装置３の地図情報などから選択された２種類の画像情報を表示し、運転者（観者）の顔（目）の位置に応じて、何れか一方の画像が観者に見えるように構成される。
【００１３】
エアコン装置１は、ガス状冷媒を高温・高圧に圧縮するコンプレッサ、コンプレッサにより圧縮された冷媒を導入し熱交換を行い凝縮・液化するコンデンサ、コンデンサから送出された液状冷媒を一旦溜める補助タンク、及び補助タンクから送出された冷媒を膨張弁を通して導入し蒸発気化させるエバポレータからなる冷凍サイクルを有し、その冷凍サイクルのエバポレータとヒータコアが空調ケース内に配設され、ブロワにより外気または内気を空調ケース内に導入し、空調モードに応じてケース内の各種ドアを開閉制御し、設定温度に応じた風を各空調モードに応じた部位に送風するように構成される。
【００１４】
オーディオ装置２は、オーディオ信号を増幅するオーディオアンプ、増幅された低周波信号を入力して作動するスピーカ、オーディオ信号の音源となるＴＶチューナ、ＦＭチューナ、ＣＤプレーヤ、ＤＶＤプレーヤなどを備え、選択された音源の音を再生して出力するように構成される。
【００１５】
ナビゲーション装置３は、ＧＰＳ受信機、ジャイロスコープ、地磁気センサ、走行距離センサ、車両の位置検出ユニット、ＣＤ−ＲＯＭ（ＤＶＤ−ＲＯＭ）、制御部などを備え、ＣＤ−ＲＯＭから読み出した地図データ及び位置検出ユニットから出力された現在位置データに基づき、ナビゲーション情報を表示器５に表示するように構成される。
【００１６】
描画コントローラ４は、表示制御手段の一部を構成するもので、上記エアコン装置１、オーディオ装置２、ナビゲーション装置３から送られる画像表示のための信号を入力し、それらの信号に応じて表示器５に表示する表示画像の描画を行ない、表示する画像信号を表示器５に送出するように構成される。また、この描画コントローラ４は、上記エアコン装置１のエアコン情報、オーディオ装置２のオーディオ情報、ナビゲーション装置３の地図情報、或いはエアコン情報とオーディオ情報などの２種の画像を組み合わせた画像情報のうち、選択された２種の画像を描画し、これらの２種の表示画像を同時に表示器５に表示させるように出力する。
【００１７】
表示器５は、例えば液晶表示器として構成され、図４に示すように、画像を表示するための多数の画素は、左右に隣接する画素群がＡ、Ｂの２種類からなり、それらの画素群Ａと画素群Ｂを交互に左右横方向に配置し、各画素群Ａ，Ｂの縦方向の配列は同種の画素で形成するように構成されている。つまり、すだれ状の縦長の画素群Ａと画素群Ｂが左右横方向に交互に配置されて表示画素面が構成される。
【００１８】
これらの２種の画素群Ａ，Ｂには、異なった情報の画像が表示され、例えば、画素群Ａにはナビゲーションの地図情報の画面が表示され、画素群Ｂにはエアコン情報とオーディオ情報を組み合わせた画面が表示され、或いは画素群Ａにオーディオ情報の画面が表示され、画素群Ｂにはエアコン情報の画面が表示されるなど、相違した２種の画像が表示される。それら２種の画像の組み合わせは、図示しない設定スイッチにより、セットすることができる。
【００１９】
さらに、表示器５には、図４に示すように、画像を表示するための画素群Ａ，Ｂの前面に、多数の遮蔽部６ａをすだれ状に配置したバリア６が、表示を見る目の位置に応じて、画素群Ａ，Ｂの何れかが選択的に見えるように、配置される。このバリア６は、図４に示すように、隣接する各遮蔽部６ａの間にスリット７を設け、すだれ状の縦長の遮蔽部６ａをスリット７を介して多数列状に配置して構成される。バリア６の各遮蔽部６ａの幅とスリット７の幅の和は、画素と画素間の幅の和の２倍より少し狭く形成され、後述のように、観者が所定の位置から表示器５の画面を見た場合、所定位置では、画素群Ａが見え、それより両目の間隔の半分の距離だけ目の位置をずらした場合、画素群Ｂが見えるように、その画素群Ａ，Ｂとバリア６の間隔Ｌが設定されている。
【００２０】
すなわち、図６の模式図に示すように、観者の右目と左目の間隔の半分をＬｅ，画素Ａ，Ｂの間隔をＬｇ，バリア６の遮蔽部６ａと６ａの間隔をＬｂ、画素群Ａ，Ｂとバリア６の距離をＸ、バリア６と目の距離をＹとすると、
Ｘ＝Ｙ・Ｌｇ／Ｌｅ、
Ｌｂ＝２Ｌｇ｛１／（１＋Ｘ／Ｙ）｝  と表わすことができ、
１／（１＋Ｘ／Ｙ）は１より僅かに小さいから、バリア６の各遮蔽部６ａの幅とスリット７の幅の和は、画素と画素間の幅の和の２倍より少し狭く形成されることになる。
【００２１】
このような表示器５は、偏光メガネや青赤メガネなどを使用せずに裸眼で立体画像を見ることができるバリア式の液晶表示器を使用することができ、立体画像表示用のバリア式液晶表示器の例えば右目用画素群を用いて、一方の画像情報を表示し、左目用画像群を用いて、他方の画像情報を表示する。
【００２２】
図４に示すように、所定の右側位置に観者の目（実線）が位置するとき、その目にはバリア６のスリット７を通して画素群Ａの画像が入り、このとき、画素群Ｂの画像はバリア６の遮蔽部６ａに遮られて観者の目には入らない。また、所定位置より左に両目の間隔の半分の距離だけずらした位置に観者の目（破線）が位置するとき、その目にはバリア６のスリット７を通して画素群Ｂの画像が入るが、画素群Ａの画像はバリア６の遮蔽部６ａに遮られて観者の目には入らない。
【００２３】
このように構成された車両用表示装置は、その描画コントローラ４が、エアコン装置１、オーディオ装置２、ナビゲーション装置３から送られる各々の表示画像データを入力し、図示しないスイッチ操作などに応じて選択された２種の画像を描画処理する。例えば、エアコン装置１の空調モードや温度などを示すエアコン情報とオーディオ装置２の音源などを示すオーディオ情報を組み合わせら画像を第一の画像情報として描画し、さらにナビゲーション装置３の地図情報を第二の画像情報として描画して、２種の表示画像の描画を行ない、描画コントローラ４は、その２種の描画データを表示器５に出力する。そして、表示器５は、その２種の描画データを入力して、例えばその画素群Ａに図２のようなナビゲーション装置３の地図情報の画像を表示し、その画素群Ｂに図３のようなオーディオ情報とエアコン情報を組み合わせた画像を表示する。
【００２４】
運転者は、運転席の適正位置に座り、正常な姿勢をとって表示器５を見たとき、図４に示すように、その目（実線）には、バリア６のスリット７を通して画素群Ａの画像が入り、このとき、画素群Ｂの画像はバリア６の遮蔽部６ａに遮られて運転者の目には入らない。したがって、この姿勢の運転者の目には、画素群Ａによって表示された図２のようなナビゲーションの地図情報が視認されることになる。
【００２５】
一方、運転者が、図４の破線に示すように、その顔（目の位置）を左に、両目の間隔の半分の距離だけずらして、表示器５を見たとき、その目（破線）には、バリア６のスリット７を通して画素群Ｂの画像が入り、このとき、画素群Ａの画像はバリア６の遮蔽部６ａに遮られて運転者の目には入らない。したがって、この姿勢の運転者の目には、画素群Ｂによって表示された図３のオーディオ情報とエアコン情報の画像が視認されることになる。
【００２６】
このように、運転者は、顔（目）を両目の間隔の半分の距離だけずらして表示器５を見ることにより、表示器５に表示されるもう一つの画像を見ることができ、スイッチ操作を行なわずに簡単に、同じ表示器５で２種の画像を別々に見ることができる。
【００２７】
なお、上記表示器５は、その表示される２つの画像を、バリア６によって観者の目の位置に応じて選択的に視認されるように構成したが、レンチキュラー方式の液晶表示器により、２つの画像を選択的に視認されるように構成することもできる。
【００２８】
レンチキュラー方式の液晶表示器では、上記バリア６に代えてレンチキュラーレンズが画素群の前面に、所定の間隔をおいて配置される。２種の画像を構成する画素群Ａと画素群Ｂは、上記と同様に、交互に横方向に並べて配置され、各画素群Ａ，Ｂの縦方向の配列は同種の画素で構成され、すだれ状の縦長の画素群Ａと画素群Ｂが横方向に交互に配置される構造である。レンチキュラーレンズは、多数のかまぼこ型レンズを並設して構成され、観者の目の位置に応じて、２種の画素群Ａと画素群Ｂの作る画像光を選択的にその目の方向に屈折して送り、上記のバリア式の液晶表示器５と同様に、観者はその顔（目）の位置を両目の間隔の半分の距離をずらすことにより、画素群Ａと画素群Ｂの画像を選択して見ることができる。
【００２９】
さらに、上記表示器５の描画コントローラ４は、通常時、図示しないマニュアル式のスイッチ操作により選択された画像情報を描画し、その画像を表示器５に表示させるように動作するが、このスイッチが操作されたときには、そのスイッチに応じた同一の画像情報を表示器５の画素群Ａと画素群Ｂに所定時間だけ表示するようにして、マニュアルのスイッチ操作を優先させて表示器５に表示を行なうことができる。
【００３０】
図５は他の実施形態の車両用表示装置の構成図を示している。この表示装置では、液晶ディスプレイなどの通常の表示器８が使用され、また、運転者など観者の顔の向きを検出する顔向き検出装置９が配設される。顔向き検出装置９は、ＣＣＤなどの撮像素子を用いて構成され、運転者の顔を撮影してその向きをその撮像画像から検出する。そして、例えば運転者がその顔を正面視からインストルメントパネルの表示器８側に向けたとき、それを検出しその信号を出力する。
【００３１】
描画コントローラ１０は通常時、図示しない操作スイッチなどで選択された画像、例えばナビゲーション装置３から送られる表示画像データを基づき、ナビゲーションの地図情報の画像を描画し、表示器８にその画像信号を出力する。表示器８はその地図情報の画像信号を入力して地図情報を表示している。
【００３２】
この状態で、運転者は、地図情報に代えて例えばエアコン情報を見たい場合、その顔を表示器８側にずらすように顔の向きを変える。このとき、顔向き検出装置９から、運転者がその顔を正面視からインストルメントパネルの表示器８側に向けたことを示す検出信号が描画コントローラ１０に入力される。描画コントローラ１０は、地図情報に代えて、予め設定された画像情報、例えばエアコン装置の空調モードや温度などを示すエアコン情報、オーディオ装置の音源などを示すオーディオ情報などの画像データを取り込み、このエアコン情報、オーディオ情報などの表示画像を描画処理する。そして、その画像信号が描画コントローラ１０から表示器８に送られ、表示器８には、地図情報に代えてエアコン情報、オーディオ情報が表示される。
【００３３】
このように、運転者は、スイッチ操作を行なう代わりに、その顔の向きを予め設定した所定側の例えば表示器側に変えるだけで、簡単に表示器８の表示を予め設定した画像に変えることができる。
【００３４】
なお、上記表示器８の描画コントローラ１０は、図示しないマニュアル式のスイッチ操作が行なわれた場合、そのスイッチにより選択された画像情報を描画し、その画像を表示器８に表示させるように動作するが、このスイッチが操作されたときには、そのスイッチに応じた同一の画像情報を表示器８に所定時間だけ表示するようにして、マニュアルのスイッチ操作を優先させ、顔の揺れなどによって、表示画像が不用意に切り替わる不具合を防止することができる。
【００３５】
【発明の効果】
以上説明したように、本発明の車両用表示装置によれば、観者は、表示器の表示画像を切り替えるためのスイッチ操作をすることなく、顔を所定の距離ずらすだけで、または顔の向きを変えるだけで、簡単に異なった画像情報を見ることができる。
【図面の簡単な説明】
【図１】本発明の一実施形態を示す車両用表示装置の構成図である。
【図２】車両用表示装置の地図情報の画像説明図である。
【図３】車両用表示装置のオーディオ情報とエアコン情報の画像説明図である。
【図４】表示器５と観者の目の位置を示す説明図である。
【図５】他の実施形態の車両用表示装置の構成図である。
【図６】バリアと画素の位置関係を示す模式図である。
【符号の説明】
１−エアコン装置
２−オーディオ装置
３−ナビゲーション装置
４−描画コントローラ
５−表示器
６−バリア
６ａ−遮蔽部
７−スリット
【図１】
2004217089.tif 000003
【図２】
2004217089.tif 000004
【図３】
2004217089.tif 000005
【図４】
2004217089.tif 000006
【図５】
2004217089.tif 000007
【図６】
2004217089.tif 000008